(57)【要約】  【課題】  貯蔵時の粘度や匂いを改善した、第４級アンモニウム塩組成物及びその製造法、並びに漂白性能に優れた液体漂白剤組成物の提供。  【解決手段】  第３級アミンを、溶媒として非イオン界面活性剤（３）を用いて、ジアルキル硫酸で４級化させる、第４級アンモニウム塩（１）を含有する組成物の製造方法、この方法で得られる第４級アンモニウム塩組成物、この組成物を含有する液体漂白剤組成物。【化１】2005179187.tif 000020【化２】2005179187.tif 000021（式中、Ｒ1はＣ7-22のアルキル基又はアルケニル基、Ｒ2はＣ1-3のアルキレン基、Ｒ3、Ｒ4及びＲ5はＣ1-3のアルキル基等、Ｘは−ＣＯＯ−、−ＣＯＮＨ−等、Ｙ-はアルキル硫酸イオン、Ｒ6はＣ6-22のアルキル基等、ＡはＣ2-3のアルキレン基、ＺはＨ又はＣ1-3のアルキル基、ｍは２〜５０の数を示す。）【選択図】  なし【特許請求の範囲】
【請求項１】
一般式（１）
【化１】
2005179187.tif 000015
（式中、Ｒ1は直鎖又は分岐鎖の炭素数７〜２２のアルキル基又はアルケニル基、Ｒ2は直鎖又は分岐鎖の炭素数１〜３のアルキレン基、Ｒ3、Ｒ4及びＲ5は同一又は異なって、炭素数１〜３のアルキル基又はヒドロキシアルキル基、Ｘは式−ＣＯＯ−、−ＯＣＯ−、−ＣＯＮＨ−又は−ＮＨＣＯ−で表される基、Ｙ-はアルキル硫酸イオンを示す。）
で表される第４級アンモニウム塩を含有する組成物の製造方法であって、一般式（２）
【化２】
2005179187.tif 000016
（式中、Ｒ1、Ｒ2、Ｒ3、Ｒ4及びＸは前記の意味を示す。）
で表される第３級アミンを、溶媒として一般式（３）
【化３】
2005179187.tif 000017
（式中、Ｒ6は直鎖又は分岐鎖の炭素数６〜２２のアルキル基もしくはアルケニル基、あるいは直鎖又は分岐鎖の炭素数１〜１８のアルキル基が置換していても良いアリール基、Ａは直鎖又は分岐鎖の炭素数２〜３のアルキレン基、ＺはＨ又は炭素数１〜３のアルキル基、ｍは平均値が２〜５０の数を示し、ｍ個のＡは同一でも異なっていても良い。）
で表される非イオン界面活性剤を用いて、ジアルキル硫酸で４級化させる、第４級アンモニウム塩組成物の製造方法。
【請求項２】
一般式（１）中のＸが、式−ＣＯＯ−又は−ＣＯＮＨ−で表される基である請求項１記載の製造方法。
【請求項３】
請求項１又は２記載の製造方法で得られる第４級アンモニウム塩組成物。
【請求項４】
下記（ａ）及び（ｂ）成分を含有する第４級アンモニウム塩組成物。
（ａ）一般式（１）で表される第４級アンモニウム塩
【化４】
2005179187.tif 000018
（式中、Ｒ1、Ｒ2、Ｒ3、Ｒ4、Ｒ5、Ｘ及びＹ-は請求項１と同じ意味を示す。）
（ｂ）一般式（３）で表される非イオン界面活性剤
【化５】
2005179187.tif 000019
（式中、Ｒ6、Ａ、Ｚ及びｍは請求項１と同じ意味を示す。）
【請求項５】
一般式（１）で表される第４級アンモニウム塩の含有量が０．１〜３５重量％、一般式（３）で表される非イオン界面活性剤の含有量が０．１〜３５重量％で、更に水を３０〜９９．８重量％含有する請求項３又は４記載の第４級アンモニウム塩組成物。
【請求項６】
請求項３〜５いずれかに記載の第４級アンモニウム塩組成物を含有する液体漂白剤組成物。
【発明の詳細な説明】
【技術分野】
【０００１】
本発明は、貯蔵時の粘度や匂いを改善した、第４級アンモニウム塩組成物及びその製造法、並びにその第４級アンモニウム塩組成物を含有する漂白性能に優れた液体漂白剤組成物に関する。
【背景技術】
【０００２】
一般に、漂白剤は塩素系漂白剤と酸素系漂白剤に分けられるが、塩素系漂白剤は使用できる繊維に制限があり、色、柄物には使用できず、また特有の臭いを有していることから、これらの欠点のない酸素系漂白剤が最近著しく普及している。この酸素系漂白剤のうち、過炭酸ナトリウム、過ホウ酸ナトリウムが粉末漂白剤として使用されており、また過酸化水素は液体酸素系漂白剤として使用されている。しかしながら、液体酸素系漂白剤は塩素系漂白剤に比べ漂白力が低く、その改善が求められている。
【０００３】
これらの欠点を補うために漂白活性化剤や有機ペルオキシ酸を配合した液体漂白剤組成物の研究がなされている。特許文献１には有機過酸を生成する漂白活性化剤の粒子を過酸化水素を含む酸性水溶液中に分散させてなる液体漂白剤組成物が開示されている。特許文献２には第４級アンモニウム塩系カチオン性界面活性剤を含む特定の活性剤と漂白活性化剤を組み合わせた液体漂白剤組成物が開示されている。しかし、塩素系漂白剤と比べると漂白力は低く、実使用系において満足のいくものではない。
【０００４】
また特許文献３にはエーテル鎖を有する第４級アンモニウム塩をアルコールと共存させた組成物が開示されているが、貯蔵時の匂いにおいてまだ十分に満足できるものではない。
【特許文献１】特開昭６２−２３０８９７号公報
【特許文献２】特開平９−６７３２０号公報
【特許文献３】特開２００３−３００８１２号公報
【発明の開示】
【発明が解決しようとする課題】
【０００５】
本発明の課題は、貯蔵時の粘度や匂いを改善した、第４級アンモニウム塩組成物及びその製造法、並びに漂白性能に優れた液体漂白剤組成物を提供することにある。
【課題を解決するための手段】
【０００６】
本発明は、一般式（１）
【０００７】
【化６】
2005179187.tif 000002
【０００８】
（式中、Ｒ1は直鎖又は分岐鎖の炭素数７〜２２のアルキル基又はアルケニル基、Ｒ2は直鎖又は分岐鎖の炭素数１〜３のアルキレン基、Ｒ3、Ｒ4及びＲ5は同一又は異なって、炭素数１〜３のアルキル基又はヒドロキシアルキル基、Ｘは式−ＣＯＯ−、−ＯＣＯ−、−ＣＯＮＨ−又は−ＮＨＣＯ−で表される基、Ｙ-はアルキル硫酸イオンを示す。）
で表される第４級アンモニウム塩（以下第４級アンモニウム塩（１）という）を含有する組成物の製造方法であって、一般式（２）
【０００９】
【化７】
2005179187.tif 000003
【００１０】
（式中、Ｒ1、Ｒ2、Ｒ3、Ｒ4及びＸは前記の意味を示す。）
で表される第３級アミン（以下第３級アミン（２）という）を、溶媒として一般式（３）
【００１１】
【化８】
2005179187.tif 000004
【００１２】
（式中、Ｒ6は直鎖又は分岐鎖の炭素数６〜２２のアルキル基もしくはアルケニル基、あるいは直鎖又は分岐鎖の炭素数１〜１８のアルキル基が置換していても良いアリール基、Ａは直鎖又は分岐鎖の炭素数２〜３のアルキレン基、ＺはＨ又は炭素数１〜３のアルキル基、ｍは平均値が２〜５０の数を示し、ｍ個のＡは同一でも異なっていても良い。）
で表される非イオン界面活性剤（以下非イオン界面活性剤（３）という）を用いて、ジアルキル硫酸で４級化させる、第４級アンモニウム塩組成物の製造方法、この製造方法で得られる第４級アンモニウム塩組成物を提供する。
【００１３】
また、本発明は、下記（ａ）及び（ｂ）成分を含有する第４級アンモニウム塩組成物を提供する。
（ａ）第４級アンモニウム塩（１）
（ｂ）非イオン界面活性剤（３）
また、本発明は、これら第４級アンモニウム塩組成物を含有する液体漂白剤組成物を提供する。
【発明の効果】
【００１４】
本発明の方法によれば、不純物の副生が少なく、匂いの良好な第４級アンモニウム塩組成物が得られる。また、本発明によれば、ハンドリング性に優れ、貯蔵時の粘度安定性に優れ、更に匂いの良好な第４級アンモニウム塩組成物、及び漂白性能に優れた液体漂白剤組成物が得られる。
【発明を実施するための最良の形態】
【００１５】
［第４級アンモニウム塩組成物の製造方法］
本発明の第４級アンモニウム塩組成物の製造方法は、第３級アミン（２）を、溶媒として非イオン界面活性剤（３）を用いて、ジアルキル硫酸で４級化させる方法である。
【００１６】
第３級アミン（２）において、Ｒ1は直鎖又は分岐鎖の炭素数７〜２２のアルキル基又はアルケニル基であり、好ましくは炭素数７〜１８、より好ましくは炭素数７〜１４のアルキル基であり、単一アルキル基でも混合アルキル基でも良い。Ｘは、−ＣＯＯ−、−ＯＣＯ−、−ＣＯＮＨ−又は−ＮＨＣＯ−を示すが、−ＣＯＯ−又は−ＣＯＮＨ−が好ましい。Ｒ2は直鎖又は分岐鎖の炭素数１〜３のアルキレン基を示し、Ｘが−ＣＯＯ−又は−ＣＯＮＨ−の場合は炭素数２〜３のアルキレン基が好ましい。Ｒ3及びＲ4は同一でも異なっても良く、メチル基、エチル基、プロピル基、ヒドロキシエチル基等が挙げられ、メチル基、エチル基が好ましい。
【００１７】
第３級アミン（２）としては、例えば次の化合物が挙げられる。
【００１８】
【化９】
2005179187.tif 000005
【００１９】
【化１０】
2005179187.tif 000006
【００２０】
本発明において４級化剤として用いるジアルキル硫酸としては、ジメチル硫酸、ジエチル硫酸等が挙げられる。
【００２１】
本発明の方法において、ジアルキル硫酸と第３級アミン（２）のモル比は、ジアルキル硫酸／第３級アミン（２）＝０．９／１．０〜１．２／１．０が好ましく、０．９３／１．０〜１．１／１．０がより好ましく、０．９５／１．０〜１．０／１．０が特に好ましい。
【００２２】
本発明の方法で反応溶媒として用いる非イオン界面活性剤（３）において、Ｒ6は直鎖又は分岐鎖の炭素数６〜２２のアルキル基もしくはアルケニル基、あるいは直鎖又は分岐鎖の炭素数１〜１８のアルキル基が置換していても良いアリール基を示すが、炭素数６〜２２のアルキル基もしくはアルケニル基が好ましく、炭素数１２〜１８のアルキル基が更に好ましい。Ａは直鎖又は分岐鎖の炭素数２〜３のアルキレン基を示すが、エチレン基が好ましい。ｍはオキシアルキレン基の平均付加モル数を示す２〜５０の数であるが、４〜３０が好ましい。ＺはＨ又は炭素数１〜３のアルキル基を示すが、Ｈ又はメチル基が好ましい。
【００２３】
非イオン界面活性剤（３）としては、例えば次の化合物が挙げられる。
【００２４】
【化１１】
2005179187.tif 000007
【００２５】
本発明の方法において、反応溶媒として用いる非イオン界面活性剤（３）の使用量は、反応物の適度な粘度、及び満足できる反応率を得る観点から、第３級アミン（２）１００重量部に対し、５重量部以上が好ましく、５〜２００重量部がより好ましく、１０〜１００重量部が特に好ましい。
【００２６】
本発明の４級化反応においては、反応温度は特に拘らないが、３０〜１００℃が好ましく、４０〜９０℃が更に好ましい。また原料の仕込み方法は第３級アミン（２）と非イオン界面活性剤（３）を混合させて設定温度でジアルキル硫酸を滴下する方法が好ましい。この場合、ジアルキル硫酸の滴下時間は任意であるが、発熱を伴うことから、上記反応温度を超えないように滴下することが好ましい。４級化反応終了後は水に注ぎ未反応のジアルキル硫酸を分解させ、目的とする第４級アンモニウム塩（１）を含有する組成物を得る。
【００２７】
［第４級アンモニウム塩組成物］
本発明の（ａ）成分である第４級アンモニウム塩（１）において、Ｒ1は直鎖又は分岐鎖の炭素数７〜２２のアルキル基又はアルケニル基であり、好ましくは炭素数７〜１８、より好ましくは炭素数７〜１４のアルキル基であり、単一アルキル基でも混合アルキル基でも良い。Ｘは、−ＣＯＯ−、−ＯＣＯ−、−ＣＯＮＨ−又は−ＮＨＣＯ−を示すが、−ＣＯＯ−又は−ＣＯＮＨ−が好ましい。Ｒ2は直鎖又は分岐鎖の炭素数１〜３のアルキレン基を示し、Ｘが−ＣＯＯ−又は−ＣＯＮＨ−の場合は炭素数２〜３のアルキレン基が好ましい。Ｒ3、Ｒ4、及びＲ5は同一でも異なっても良く、メチル基、エチル基、プロピル基、ヒドロキシエチル基等が挙げられ、メチル基、エチル基が好ましい。Ｙ-としては、メチル硫酸イオン、エチル硫酸イオン等が挙げられる。
【００２８】
第４級アンモニウム塩（１）としては、例えば次の化合物が挙げられる。
【００２９】
【化１２】
2005179187.tif 000008
【００３０】
【化１３】
2005179187.tif 000009
【００３１】
【化１４】
2005179187.tif 000010
【００３２】
本発明の（ｂ）成分である非イオン界面活性剤（３）としては、上記の第４級アンモニウム塩組成物の製造方法の欄に示した反応溶媒として用いる非イオン界面活性剤（３）が例示される。
【００３３】
本発明の第４級アンモニウム塩組成物においては、（ａ）成分である第４級アンモニウム塩（１）に、（ｂ）成分である非イオン界面活性剤（３）を配合することで、その粘性を下げ、ハンドリング性を向上させ、安定な貯蔵物を与えることができる。
【００３４】
本発明の第４級アンモニウム塩組成物中の（ａ）成分の含有量は、組成物の粘度の観点から、０．１〜３５重量％が好ましく、１．０〜３５重量％が更に好ましい。（ｂ）成分の含有量は、粘度の観点から０．１〜３５重量％が好ましく、１．０〜３５重量％が更に好ましい。
【００３５】
本発明の第４級アンモニウム塩組成物は、更に水を含有することが好ましく、水の含有量は３０〜９９．８重量％が好ましく、３０〜９８重量％が更に好ましい。本発明の第４級アンモニウム塩組成物の特に好ましい組成は、（ａ）成分が１０〜３５重量％、（ｂ）成分が２〜１５重量％、水が５０〜８８重量％である。
【００３６】
特に本発明の第４級アンモニウム塩組成物は、主に（ａ）成分、（ｂ）成分及び水からなる組成物であることが好ましく、その他の成分は特に含まなくてもよい。つまり、漂白剤、特に酸素系漂白剤と一緒に用いるために適した組成物となる。
【００３７】
［液体漂白剤組成物］
本発明の液体漂白剤組成物は、本発明の第４級アンモニウム塩組成物、更には過酸化水素、非イオン界面活性剤、漂白活性化剤等を含有し、残部は水である。
【００３８】
本発明の液体漂白剤組成物中に配合する非イオン界面活性剤は、本発明の４級アンモニウム塩組成物の合成において反応溶媒として用いた非イオン界面活性剤（３）をそのまま使用することができる。また、他の非イオン界面活性剤を配合してもよい。
【００３９】
本発明の液体漂白剤組成物中に配合する漂白活性化剤としては、一般式（４）で表される化合物が挙げられる。
【００４０】
【化１５】
2005179187.tif 000011
【００４１】
（式中、Ｒ7は炭素数５〜１９のアルキル基あるいはアルケニル基、Ｗは−ＳＯ3Ｍ又は−ＣＯＯＭを示す。Ｍは有機又は無機の陽イオンである。）
かかる漂白活性化剤の具体例としては、以下の化合物が挙げられる。
【００４２】
【化１６】
2005179187.tif 000012
【００４３】
本発明の液体漂白剤組成物中の各成分の含有量は、優れた漂白性能や保存安定性を得、また適度な粘度を得る観点から、以下の範囲が好ましい。
【００４４】
本発明の第４級アンモニウム塩組成物の含有量は、第４級アンモニウム塩（１）として、０．１〜２０重量％が好ましく、０．１〜１０重量％が更に好ましい。非イオン界面活性剤の含有量は、０．５〜３０重量％が好ましく、１〜２０重量％が更に好ましく、１〜１０重量％が特に好ましい。過酸化水素の含有量は０．５〜１０重量％が好ましく、１〜１０重量％が更に好ましく、１〜６重量％が特に好ましい。漂白活性化剤の含有量は０．１〜１０重量％が好ましく、０．１〜５重量％が更に好ましく、０．１〜３重量％が特に好ましい。
【００４５】
本発明の液体漂白剤組成物は、基本的には上記成分を水中に溶解又は分散させたものであるが、低温での液の安定化及び凍結復元性を改善したり、高温での液分離を防止する目的でハイドロトロープ剤を配合しても差し支えない。このようなハイドロトロープ剤としては、一般的には、トルエンスルホン酸塩、キシレンスルホン酸塩などに代表される短鎖アルキルベンゼンスルホン酸塩、エタノール、エチレングリコール、プロピレングリコール、ヘキシレングリコール、グリセリンなどに代表されるアルコール及び多価アルコール等が挙げられる。ハイドロトロープ剤は漂白剤組成物中０〜３０重量％程度配合することができる。
【００４６】
また、本発明の液体漂白剤組成物には更に金属封鎖剤を配合してもよい。金属封鎖剤の具体例としては以下の化合物が挙げられる。
【００４７】
(i) フィチン酸等のリン酸系化合物又はこれらのアルカリ金属塩もしくはアルカノールアミン塩
(ii) エタン−1,1 −ジホスホン酸、エタン−1,1,2 −トリホスホン酸、エタン−１−ヒドロキシ−1,1 −ジホスホン酸およびその誘導体、エタンヒドロキシ−1,1,2 −トリホスホン酸、エタン−1,2 −ジカルボキシ−1,2 −ジホスホン酸、メタンヒドロキシホスホン酸等のホスホン酸又はこれらのアルカリ金属塩もしくはアルカノールアミン塩
(iii) ２−ホスホノブタン−1,2 −ジカルボン酸、１−ホスホノブタン−2,3,4 −トリカルボン酸、α−メチルホスホノコハク酸等のホスホノカルボン酸又はこれらのアルカリ金属塩もしくはアルカノールアミン塩
(iv) アスパラギン酸、グルタミン酸、グリシン等のアミノ酸又はこれらのアルカリ金属塩もしくはアルカノールアミン塩
(v) ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラミン六酢酸、ジエンコル酸等のアミノポリ酢酸又はこれらのアルカリ金属塩もしくはアルカノールアミン塩
(vi) ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸、カルボキシメチル酒石酸などの有機酸又はこれらのアルカリ金属塩もしくはアルカノールアミン塩
(vii) ゼオライトＡに代表されるアルミノケイ酸のアルカリ金属塩又はアルカノールアミン塩
(viii) アミノポリ（メチレンホスホン酸）もしくはそのアルカリ金属塩もしくはアルカノールアミン塩、又はポリエチレンポリアミンポリ（メチレンホスホン酸）もしくはそのアルカリ金属塩もしくはアルカノールアミン塩等が挙げられる。
【００４８】
これらの中で上記(ii) 、(v) 、(vi) 及び(vii) からなる群より選ばれる少なくとも１種が好ましく、上記(ii) からなる群より選ばれる少なくとも１種がさらに好ましい。このような金属封鎖剤は、本発明の液体漂白剤組成物中に、０．０００５〜５重量％、好ましくは ０．００５〜５重量％、更に好ましくは０．０１〜１重量％配合される。
【００４９】
また、本発明の液体漂白剤組成物には更に種々の化合物を含有させることができる。例えば、過酸化水素の安定化剤として知られているリン酸、バルビツール酸、尿酸、アセトアニリド、オキシキノリンやフエナセチンなどに代表されるアミノポリカルボン酸類、及びＤＬ−α−トコフェロール、没食子酸誘導体、ブチル化ヒドロキシアニソール（ＢＨＡ）、２，６−ジ−tert−ブチル−４−メチルフェノール（ＢＨＴ）などを添加することができる。これらの安定化剤の添加量は過酸化水素の濃度にもよるが、通常０〜５重量％程度、好ましくは０．０１〜３重量％含有させるのがよい。
【００５０】
さらに、本発明の液体漂白剤組成物は、変褪色防止剤として公知の物質を含むことができる。このような物質としては、フェニルアラニン、ヒスチジン、リジン、チロシン、メチオニン等のアミノ酸及びアミノ酸塩類、及びヒドロキシイミノジ酢酸等のアミノ又はイミド化合物、更には、アクリロニトリルと第四級アンモニウム基を有するアクリロニトリルと共重合可能なモノマーの１種又は２種以上とのコポリマー等である。尚、アミノ酸には光学異性体が存在するが、本発明の効果においては光学異性体は関与しない。従って、化学的に合成したアミノ酸を使用することも可能である。
【００５１】
また、白物繊維に対する漂白効果を増すために蛍光増白剤として、チノパール(Tinopal）ＣＢＳ〔チバ・ガイギー(Ciba-Geigy)社製〕、チノパールＳＷＮ〔チバ・ガイギー社製〕やカラー・インデックス蛍光増白剤２８，４０，６１，７１などの蛍光増白剤を０〜５重量％添加しても良い。
【００５２】
更に、組成物の粘度を高め使い勝手を向上させる目的で増粘剤を０〜２０重量％添加することが可能である。一般的には、ポリアクリル酸塩、アクリル酸マレイン酸共重合体、カルボキシメチルセルロース誘導体、メチルセルロース、ヒドロキシメチルセルロースといった合成高分子、キサンタンガム、グアーガム、ケルザンといった天然高分子、モンモリロナイト、ビーガムといった水膨潤性粘土鉱物などである。又、特開平１−３１９６００号公報に記載されているような、両性界面活性剤とアニオン界面活性剤を組み合わせることで粘弾性レオロジー特性を持たせることも可能である。
【００５３】
また、本発明の液体漂白剤組成物には更に、染料や顔料のような着色剤、香料、シリコーン類、殺菌剤、紫外線吸収剤、無機電解質等の種々の微量添加物を適量（各々０〜約２重量％程度）配合することが出来る。尚、染料としては、酸性溶液で耐過酸化水素性を有する酸性染料が特に好ましい。
【００５４】
又、本発明の液体漂白剤組成物において、漂白性能を向上させるため、従来公知の酵素（セルラーゼ、アミラーゼ、プロテアーゼ、リパーゼ等）を必要に応じ、配合することができる。
【００５５】
本発明の液体漂白剤組成物のｐＨは６以下、好ましくは３．５以下とすることが望ましい。ｐＨを調整するためには、硫酸、リン酸のような無機酸や、トルエンスルホン酸、ベンゼンスルホン酸のような有機酸を使用したり、前述のキレート剤やアニオン界面活性剤を酸の型で添加したり、必要に応じて水酸化ナトリウムや水酸化カリウムのような苛性アルカリを用いて調整するのが良い。
【００５６】
また、本発明の液体漂白剤組成物は、硫酸、塩酸及びリン酸、並びにこれらのアルカリ金属塩及びこれらのアルカリ土類金属塩からなる群より選ばれる少なくとも一種（例えば、NaCl、Na2SO4、H3PO4 等）を０〜５重量％含有していても差支えない。
【実施例】
【００５７】
製造例１
１Ｌ４つ口フラスコにラウリン酸ジメチルアミノエチルエステル２７１ｇ、ポリオキシエチレンラウリルエーテル（エチレンオキシド平均５モル付加物）１０８ｇを仕込み、攪拌しながら６０℃まで昇温した。ジエチル硫酸１５４ｇを４時間かけて、滴下時に発熱するため反応温度６０〜７０℃の範囲で滴下した。滴下終了後６５℃で１時間反応を行った後、あらかじめ６０℃まで加熱した水８３４ｇに投入し、１時間攪拌し、第４級アンモニウム塩組成物を得た。
【００５８】
製造例２
第３級アミンとしてカプリン酸ジメチルアミノエチルエステル２４７ｇをラウリン酸ジメチルアミノエチルエステルの代わりに用いる以外は製造例１と同様の操作を行い、第４級アンモニウム塩組成物を得た。
【００５９】
製造例３
第３級アミンとしてミリスチン酸ジメチルアミノエチルエステル２９９ｇをラウリン酸ジメチルアミノエチルエステルの代わりに用いる以外は製造例１と同様の操作を行い、第４級アンモニウム塩組成物を得た。
【００６０】
製造例４
第３級アミンとしてラウリン酸ジメチルアミノプロピルアミド２８４ｇをラウリン酸ジメチルアミノエチルエステルの代わりに用いる以外は製造例１と同様の操作を行い、第４級アンモニウム塩組成物を得た。
【００６１】
製造例５
第３級アミンとしてジメチルアミノグリシンラウリルアミド２７０ｇをラウリン酸ジメチルアミノエチルエステルの代わりに用いる以外は製造例１と同様の操作を行い、第４級アンモニウム塩組成物を得た。
【００６２】
製造例６
反応溶媒としてポリオキシエチレンステアリルエーテル（エチレンオキシド平均２５モル付加物）１０８ｇをポリオキシエチレンラウリルエーテル（エチレンオキシド平均５モル付加物）の代わりに用いる以外は製造例１と同様の操作を行い、第４級アンモニウム塩組成物を得た。
【００６３】
比較製造例１
第３級アミンとしてジメチルラウリルアミン２１３ｇをラウリン酸ジメチルアミノエチルエステルの代わりに用いる以外は製造例１と同様の操作を行い、第４級アンモニウム塩組成物を得た。
【００６４】
比較製造例２
反応溶媒としてエタノール１０８ｇをポリオキシエチレンラウリルエーテル（エチレンオキシド平均５モル付加物）の代わりに用いる以外は製造例１と同様の操作を行い、第４級アンモニウム塩組成物を得た。
【００６５】
比較製造例３
反応溶媒としてイソプロパノール１０８ｇをポリオキシエチレンラウリルエーテル（エチレンオキシド平均５モル付加物）の代わりに用いる以外は製造例１と同様の操作を行い、第４級アンモニウム塩組成物を得た。
【００６６】
製造例１〜６及び比較製造例１〜３で得られた第４級アンモニウム塩組成物の組成、反応時（６０℃）の粘度（東京計器 (株) 製Ｂ形粘度計で測定）、及び反応収率を表１に示す。また、この第４級アンモニウム塩組成物について、下記方法で匂い安定性及び粘度安定性を評価した。その結果も表１に示す。
【００６７】
＜匂い安定性＞
50mlのふた付きガラスビン（底部直径35mm、ビン高さ78mmの円筒形ガラスビン）に、製造直後の第４級アンモニウム塩組成物10mlを入れ、ふたをして20℃で１時間放置した。その後ふたを開け、すぐに匂いをかぎ、下記の基準で評価した。また、40℃、２ヶ月保存後の第４級アンモニウム塩組成物についても同様に評価した。
○：無臭〜かすかに匂う
△：僅かに匂う
×：明らかに匂う
＜粘度安定性＞
製造直後の第４級アンモニウム塩組成物を水浴等で２０℃にし、東京計器 (株) 製Ｂ形粘度計で粘度を測定した。また、40℃、２ヶ月保存後の第４級アンモニウム塩組成物についても同様に粘度を測定し、保存前後での粘度変化をみた。
【００６８】
【表１】
2005179187.tif 000013
【００６９】
実施例１〜６及び比較例１〜３
過酸化水素２重量％、ドデカノイルオキシ−ｐ−ベンゼンスルホン酸ナトリウム０．５重量％、製造例１〜６又は比較製造例１〜３で得られた第４級アンモニウム塩組成物を第４級アンモニウム塩の有効分として０．５重量％、ポリオキシエチレンラウリルエーテル（エチレンオキシド平均５モル付加物）５重量％を水に溶解し、１／１０規定硫酸水溶液及び／又は１／１０規定水酸化ナトリウム水溶液で、２０℃におけるｐＨを２．５に調整し、漂白剤組成物を得た。
【００７０】
得られた漂白剤組成物について、下記方法で過酸生成率を評価した。結果を表２に示す。
【００７１】
＜過酸生成率の測定＞
漂白剤組成物２０ｍＬを市販の花王（株）製粉末洗剤、アタック６．６７ｇを水道水１リットルに溶解した水溶液に添加し、３０分経過後、この水溶液４００ｍＬをビーカーにとり、１％カタラーゼ水溶液４ｍＬを加えて３分間攪拌した後、２０％硫酸１０ｍＬと１０％ヨウ化カリウム水溶液１０ｍＬを加えて黄色に発色させる。１／５０規定チオ硫酸ナトリウムで黄色の発色が消えるまで滴定を行い、下式により過酸生成率を求めた。
【００７２】
過酸生成量（モル）＝（１／５０）×（滴定に要したチオ硫酸ナトリウムの量（Ｌ））÷２
過酸生成率（％）＝［過酸生成量（モル）／ドデカノイルオキシ−ｐ−ベンゼンスルホン酸ナトリウムの量（モル）］×１００
【００７３】
【表２】
2005179187.tif 000014